(57)【特許請求の範囲】
【請求項１】
左右前車輪４，４を支持するフロントアクスル２と、左右後車輪５，５を支持するリヤアクスル３を有する移動農機の機体下面を覆う覆い具であって、
前記覆い具は、前後方向に長い弾性材から成る左右の支持棒６，６と、
前記支持棒６，６を差し込む袋部３１，３１を左右両端部に備え且つ前記フロントアクスル２とリヤアクスル３間に亘って張設する軟質材から成るシート部材７と、
少なくとも前記フロントアクスル２とリヤアクスル３に対して締付できる紐部３２，３２…、及び前記フロントアクスル２よりも前側に位置する紐部３２を有することを特徴とする移動農機の機体下面覆い具。
【請求項２】
前記シート部材７の左右中央部には、同シート部材７上に落ちた薬液や粉体を落下させる前後方向に複数開口した孔８，８…を備えたことを特徴とする請求項１に記載の移動農機の機体下面覆い具。
【発明の詳細な説明】
【０００１】
【発明の属する技術分野】
この発明は、移動農機の機体下面部覆い具に関する。
この発明は、作物を所定間隔で植え付けている圃場内で作物を踏まないように走行する管理用移動農機での、機体下面部覆い具を効果的に取り付けて走行作業を容易に行なおうとするものである。
【０００２】
【従来の技術、および、発明が解決しようとする課題】
従来の移動農機の機体下面部覆い具は、長方形状のビニールや布等のシートを移動農機の腹下部に取り付けていたが、シートが凹凸状に波打っており作物に何度も接当してしまい作物先端を傷めたり、散布作業を行う時飛散した液体や粉体がシート上の凹部に溜る欠点を有していた。
【０００３】
【課題を解決するための手段】
この発明は、従来装置のこのような不具合を解消しようとするものであって、次のような技術的手段を講じた。即ち、請求項１の発明では、左右前車輪４，４を支持するフロントアクスル２と、左右後車輪５，５を支持するリヤアクスル３を有する移動農機の機体下面を覆う覆い具であって、
前記覆い具は、前後方向に長い弾性材から成る左右の支持棒６，６と、
前記支持棒６，６を差し込む袋部３１，３１を左右両端部に備え且つ前記フロントアクスル２とリヤアクスル３間に亘って張設する軟質材から成るシート部材７と、
少なくとも前記フロントアクスル２とリヤアクスル３に対して締付できる紐部３２，３２…、及び前記フロントアクスル２よりも前側に位置する紐部３２を有することを特徴とする移動農機の機体下面覆い具とした。
また請求項２の発明では、前記シート部材７の左右中央部には、同シート部材７上に落ちた薬液や粉体を落下させる前後方向に複数開口した孔８，８…を備えたことを特徴とする請求項１に記載の移動農機の機体下面覆い具とした。
【０００４】
【実施例】
図例は、移動農機である乗用管理機９であって、この乗用管理機９の機体１下面部に、この発明を折り込んでいる。
機体１の前後にはフロントアクスル２とリヤアクスル３が配設され、前後のアクスルの両端部からファイナルケース１０，１０が下方に向かって突設状に取り付けられ、その突設端に前車輪４，４と後車輪５，５が回転自在に取り付けられている。
【０００５】
前車輪４，４間上方のボンネット１１内にはエンジン１２を内装搭載しており、このエンジン１２の駆動力を機体１下部の伝動ケース１３に伝達している。ボンネット１１後方にはハンドル１４が設けられ、ハンドル１４の操舵により前後車輪４，５が同時に操舵されたり、前車輪４，４のみが操舵されたり、運転者の「入」「切」操作により変更される。
【０００６】
後車輪５，５間上方には運転席１５が配設され、運転席１５の両側方から後方のフロア１６上に、タンク１７を着脱自在に載置している。リヤアクスル３にはヒッチ３３のリフトアーム３４基端部が軸着３５され、油圧シリンダー３６を伸縮してヒッチ３３を昇降自在としている。タンク１７下方の該ヒッチ３３にはポンプ１８が取り付けられており、後述する外部動力取出しのＰＴＯ軸により駆動されている。
【０００７】
前後車輪４，５間の機体１下部には前述のように伝動ケース１３が配設されており、伝動ケース１３内で変速された軸回転が、前駆軸２６からフロントアクスル２のデファレンシャル装置（図示せず。）を経て前車輪４，４を駆動したり、後駆軸２７からリヤアクスル３のデファレンシャル装置（図示せず。）を経て後車輪５，５を駆動する。前後車輪４，５は同時に駆動したり、後車輪５だけ駆動したり運転者が操作変更可能としている。
【０００８】
また、駆動力の一部は伝動ケース１３から自在継手２８を経て、運転席１５下方の機体１に取り付けられたＰＴＯ変速ケース２９に伝達される。ＰＴＯ変速ケース２９から後方にＰＴＯ軸３０が突出しており、図示しない自在継手を介しこのＰＴＯ軸３０でポンプ１８を駆動する。
乗用管理機９の機体１前部には平行リンクである上下リンク１９，２０が支枠２１の上下部に取り付けられている。また上下リンク１９，２０の先端は前枠２２で上下連結され、この前枠２２と一方の上下リンク１９，２０間に電動モータで伸縮する昇降具２３を取り付けており、この昇降具２３の伸縮により上下リンク１９，２０と前枠２２が昇降する。
【０００９】
前枠２２にはヒッチ部が設けられ、このヒッチ部に噴霧作業機２４が取り付けられている。噴霧作業機２４は左右方向中央部の中央噴霧部と、機体１の左右で拡開する側方噴霧部から成っており、噴霧作業機２４はタンク１７内に収納された薬剤を混ぜた水を、タンク１７下部のポンプ１８で加圧圧送して、機体１前方の必要部に圧力水を送り、薬剤を混ぜた水を複数のノズル２５，２５．．．から圃場表面に植え付けた作物に上方から下方に向かって噴霧し走行して消毒や害虫の駆除を行なう。
【００１０】
このように圃場内を走行するとき、圃場表面に植え付けた作物に対し、機体１の最低地上高側であるフロントアクスル２やリヤアクスル３や伝動ケース１３の下面が複雑に凹凸していると作物の先端を傷めるので、機体下面を次に述べる覆い具で覆っている。
覆い具は図３で示すように、前後方向に長い中空パイプ状の弾性材（例えば、竹やグラスファイバーやアルミ材等）から成る支持棒６，６を左右に配し、この支持棒６を両側端の袋部３１，３１に差し込んで取り付けたシート７であって、左右の長い棒とその間の布で略担架のような形状としている。そして、このシート７を帆布や不織布やビニール等軟質樹脂材で構成して、強度向上やある程度の防水，保水性や作物に対する傷つけ難くさを保つようにしている。
【００１１】
シート７の左右方向中央部には、前後方向に複数の孔８，８．．を開口している。また、シート７の両側端の袋部３１には複数の紐３２，３２．．．が取り付けられている。
支持棒６は釣竿のように直線状のものでありながら全体的にしなるから、図１の全体側面図や図２の背面図で示すように、フロントアクスル２やリヤアクスル３の下面にシート７の袋部３１を押しつけて紐３２，３２．．で締め付けておくと、シート７は張力を保ち全体が大きな曲面となる。支持棒６，６の前端部を前枠２２または噴霧作業機２４に紐３２で取り付け、図示のように上下リンク１９，２０で少し上方に持ち上げておくと、シート７内に入った液体や粉体がシート中央の孔８から外部に落下し、シート上に残らない。支持棒６，６の後端部も同様にヒッチ３３やリフトアーム３４に紐３２で取り付けて少し上動しておくと、シート７の前後部が前上がりと成って、作物の接触時の流れを容易として、作物の先端部の傷みをすくなくできる。
【００１２】
【発明の作用効果】
以上のように構成した請求項１の発明は、左右前車輪４，４を支持するフロントアクスル２と、左右後車輪５，５を支持するリヤアクスル３を有する移動農機の機体下面を覆う覆い具であって、
前記覆い具は、前後方向に長い弾性材から成る左右の支持棒６，６と、
前記支持棒６，６を差し込む袋部３１，３１を左右両端部に備え且つ前記フロントアクスル２とリヤアクスル３間に亘って張設する軟質材から成るシート部材７と、
少なくとも前記フロントアクスル２とリヤアクスル３に対して締付できる紐部３２，３２…、及び前記フロントアクスル２よりも前側に位置する紐部３２を有することを特徴とする移動農機の機体下面覆い具としたので、フロントアクスル２とリヤアクスル３に支持棒６，６を取り付けることにより、シート部材７が前後方向にでこぼこしないから、機体１の前後進時に圃場の作物上部を引っかけて傷めることが少なくなり、またシート部材７の前部の紐部３２を前記フロントアクスル２よりも上位置に締付けておくと、支持部材６，６がしなってシート部材７が前上がりとなって、作物の接触時の流れを容易として、前記同様、作物の先端部の傷みを無くすことができる。
また請求項２の発明は、前記シート部材７の左右中央部には、前後方向に複数の孔８，８…開口したので、同シート部材７上に落ちた薬液や粉体を地面に落下させることができ、シート部材７の洗浄も容易である。
【図面の簡単な説明】
【図１】覆い具を取り付けた移動農機の全体側面図である。
【図２】一部断面した、図１の背面図である。
【図３】要部の斜視図である。
【符号の説明】
１  機体
２  フロントアクスル
３  リヤアクスル
４  前車輪
５  後車輪
６  支持棒
７  シート（部材）
８  孔
【図１】
0003702564.tif 000002
【図２】
0003702564.tif 000003
【図３】
0003702564.tif 000004